(57)【特許請求の範囲】
【請求項１】
所定の通信可能領域に保持された記録媒体に対し、リーダライタを通じてデータの読み書きを行う読み書き制御手段と、
前記読み書き制御手段がリーダライタを通じて前記記録媒体のデータの読み取りを行い、該記録媒体が読み書き可能な場合には表示部に入金処理を促す入金表示を行う一方、該記録媒体が読み書き不可能な場合には表示部に該記録媒体の取り扱いが不可能であることを示すエラー表示を行う表示制御手段と
を有する制御部を備え、該制御部が前記記録媒体に対して投入された金銭に対応する入金情報を付与するチャージ処理を行う入金処理装置において、
前記制御部は、前記チャージ処理において、前記表示制御手段を通じて前記表示部に前記記録媒体の入金表示又はエラー表示を行った後予め設定された時間が経過する前に前記所定の通信可能領域に他の記録媒体が保持された場合には、前記読み書き制御手段を通じてリーダライタにより他の記録媒体のデータの読み取りを行って、該記録媒体が読み書き可能なときには前記表示制御手段を通じて表示部に他の記録媒体での入金処理を促す入金表示を行う一方、該記録媒体が読み書き不可能なときには前記表示制御手段を通じて表示部にエラー表示を行うことを特徴とする入金処理装置。
【請求項２】
前記表示制御手段は、表示部に入金表示を行う場合に、記録媒体に記憶される残高情報についても併せて表示することを特徴とする請求項１に記載の入金処理装置。
【発明の詳細な説明】
【技術分野】
【０００１】
本発明は、入金処理装置に関し、より詳細には、所定の通信可能領域に保持された記録媒体に対して、投入された金銭に対応する入金情報を付与する入金処理装置の改良に関する。
【背景技術】
【０００２】
近年、ＩＣチップを搭載したＩＣカードや携帯電話機等の記録媒体に電子マネーに関する情報を記録し、この記録媒体に記録された電子マネーを用いて商品の購入やサービスの提供に関する決済を行う電子決済システムが普及している。
【０００３】
このような電子決済システムにおいては、電子マネーチャージ機と称される入金処理装置が用意されており、この入金処理装置を通じて、投入された金銭に対応する入金情報（電子マネー）を記録媒体にチャージ（積み増し）するようにしている（例えば、特許文献１参照）。
【０００４】
【特許文献１】特開２００６−２２１３５１号公報
【発明の開示】
【発明が解決しようとする課題】
【０００５】
ところで、特許文献１等には明確に開示されてはいないが、上記電子マネーチャージ機においては、所定の通信可能領域に記録媒体が保持された場合に、この記録媒体の認証処理が実施され、該記録媒体が適用対象のものである場合には入金処理を促す入金表示を表示部に行う一方、該記録媒体が適用対象外のものである場合にはエラー表示を表示部に行うのが一般的である。そして、表示部に入金表示を行った後であって入金処理が行われる前に所定の通信可能領域に他の記録媒体が保持された場合には、エラー表示を行うのが一般的である。
【０００６】
このように入金処理が行われる前に他の記録媒体が所定の通信可能領域に保持された場合には、たとえ当該他の記録媒体が適用対象のものであってもエラー表示を行っていたために、利用者は、記録媒体が所定の通信可能領域に保持されることを許容する、すなわち記録媒体がかざされることを許容する状態に戻るまで待つ必要あり、利便性に優れたものとは言えなかった。
【０００７】
本発明は、上記実情に鑑みて、利用者の利便性の向上を図ることができる入金処理装置を提供することを目的とする。
【課題を解決するための手段】
【０００８】
上記目的を達成するため、本発明の請求項１に係る入金処理装置は、所定の通信可能領域に保持された記録媒体に対し、リーダライタを通じてデータの読み書きを行う読み書き制御手段と、前記読み書き制御手段がリーダライタを通じて前記記録媒体のデータの読み取りを行い、該記録媒体が読み書き可能な場合には表示部に入金処理を促す入金表示を行う一方、該記録媒体が読み書き不可能な場合には表示部に該記録媒体の取り扱いが不可能であることを示すエラー表示を行う表示制御手段とを有する制御部を備え、該制御部が前記記録媒体に対して投入された金銭に対応する入金情報を付与するチャージ処理を行う入金処理装置において、前記制御部は、前記チャージ処理において、前記表示制御手段を通じて前記表示部に前記記録媒体の入金表示又はエラー表示を行った後予め設定された時間が経過する前に前記所定の通信可能領域に他の記録媒体が保持された場合には、前記読み書き制御手段を通じてリーダライタにより他の記録媒体のデータの読み取りを行って、該記録媒体が読み書き可能なときには前記表示制御手段を通じて表示部に他の記録媒体での入金処理を促す入金表示を行う一方、該記録媒体が読み書き不可能なときには前記表示制御手段を通じて表示部にエラー表示を行うことを特徴とする。
【０００９】
また、本発明の請求項２に係る入金処理装置は、上述した請求項１において、前記表示制御手段は、表示部に入金表示を行う場合に、記録媒体に記憶される残高情報についても併せて表示することを特徴とする。
【発明の効果】
【００１０】
本発明によれば、表示制御手段が表示部に記録媒体の入金表示又はエラー表示を行った後に所定の通信可能領域に他の記録媒体が保持された場合に、読み書き制御手段がリーダライタを通じて他の記録媒体のデータの読み取りを行って、他の記録媒体が読み書き可能なときには表示部に他の記録媒体での入金処理を促す入金表示を行う一方、他の記録媒体が読み書き不可能なときには表示部にエラー表示を行うので、利用者は、記録媒体が所定の通信可能領域に保持されることを許容する、すなわち記録媒体がかざされることを許容する状態に戻るまで待つ必要がない。従って、利用者の利便性の向上を図ることができるという効果を奏する。
【発明を実施するための最良の形態】
【００１１】
以下に添付図面を参照して、本発明に係る入金処理装置の好適な実施の形態について詳細に説明する。尚、以下の実施の形態においては、入金処理装置の一例として電子マネーチャージ機について説明する。
【００１２】
図１及び図２は、それぞれ本発明の実施の形態である電子マネーチャージ機（入金処理装置）を簡略して示したものである。ここで例示する電子マネーチャージ機は、入金操作が行われた場合にＩＣチップを搭載した記録媒体であるＩＣカードや携帯電話機（以下ではこれらの記録媒体を単に「マネーカード」と称して説明する）に対して、非接触通信により電子マネー情報の読み書き処理を行うものである。本実施の形態では、特に、紙幣を用いた現金決済によるチャージ処理の他、クレジットカードを用いたクレジット決済によるチャージ処理やデビットカードを用いたデビット決済によるチャージ処理が可能なものを例示している。尚、以下においては便宜上、これらクレジットカードやデビットカードを総称する場合に「決済カード」とし、決済カードによる決済を総称する場合に「カード決済」として説明を行う。
【００１３】
図からも明らかなように、電子マネーチャージ機は、本体キャビネット１及び前扉２を備えている。本体キャビネット１は、鋼材を適宜組み合わせることにより前面が開口した箱状に構成したものである。前扉２は、本体キャビネット１の前面開口１ａを開閉するように本体キャビネット１の一側部に配設したもので、閉動作させた場合に本体キャビネット１の前面開口１ａを完全に閉塞することが可能である。
【００１４】
これら本体キャビネット１と前扉２との間には、前扉施錠手段３が設けてある。前扉施錠手段３は、前扉２によって本体キャビネット１の前面開口１ａを閉塞した状態において施錠した場合に前扉２の開放移動を阻止するものである。図には明示しないが、前扉施錠手段３としては、キー操作によってキーシリンダを動作させることで施錠／解錠することができるものを適用することができる。
【００１５】
前扉２の前面には、表示部４、入力部５、紙幣挿入口６、決済カード挿入口７、印字出力口８及びマネーカード載置台９が設けてある。表示部４は、利用者等に対して各種案内表示を行うためのもので、例えば液晶パネルによって構成してある。入力部５は、電子マネーチャージ機に対して各種情報を入力するためのもので、例えば押ボタンスイッチ及びキーボードを備えて構成してある。尚、本実施の形態では、上述した表示部４としてタッチパネル式のものを適用しており、このタッチパネルを入力部５として各種の情報を入力することも可能である。
【００１６】
紙幣挿入口６は、現金決済のための紙幣を挿入するための開口であり、また決済カード挿入口７は、カード決済に用いるクレジットカードやデビットカードを挿入するための開口である。印字出力口８は、図示せぬプリンタによって印字された記録紙を排出するためのものである。マネーカード載置台９は、電子マネー情報のチャージ対象となるマネーカードを載置するための台状部である。このマネーカード載置台９は、その上面が後述するリーダライタの通信可能領域になるように構成してある。尚、図２中の符号２０は、紙幣挿入口６から挿入された紙幣を収容するための金庫である。
【００１７】
図３は、上述した電子マネーチャージ機の制御系を示すブロック図である。図３に示すように、電子マネーチャージ機は、通信処理部１１、入金処理部１２、リーダライタ１３及び主制御部１００を備えている。
【００１８】
通信処理部１１は、インターネットや専用回線を介して電子マネーサーバ２００、クレジットサーバ３００、デビットサーバ４００と接続され、これらのサーバ装置２００，３００，４００との間においてデータの送受信処理を行うものである。
【００１９】
入金処理部１２は、利用者によって入金操作された場合にその入金情報を主制御部１００に送信するものである。図には明示していないが、本実施の形態では、紙幣鑑別器及び決済カード読取機を備えて入金処理部１２が構成してある。この入金処理部１２では、例えば紙幣挿入口６から紙幣が挿入された場合、挿入された紙幣の真偽及び金種を鑑別し、鑑別結果を現金入金情報として主制御部１００に送信する。一方、決済カード挿入口７から決済カードが挿入され、かつ入力部５を通じて入金額が指定された場合には、決済カードの記録情報を読み取り、この読取結果に入力部５からの入金額を含めてカード入金情報として主制御部１００に送信する。
【００２０】
リーダライタ１３は、マネーカードがマネーカード載置台９に載置された場合に、マネーカードに搭載されたＩＣチップとの間において非接触通信によりデータの読み取り及び書き込みを行うものである。
【００２１】
主制御部１００は、予め与えられたプログラムに従って処理を行い、入金処理部１２、通信処理部１１、入力部５、リーダライタ１３からの入力情報に応じて電子マネーチャージ機の動作を統括的に制御するものである。この主制御部１００は、操作設定部１０１、読み書き制御部（読み書き制御手段）１０２、表示制御部（表示制御手段）１０３、チャージ処理部１０４及び履歴管理部１０５を備えている。
【００２２】
操作設定部１０１は、予め設定した条件に従って操作者毎に実施可能となる操作を設定するものである。
【００２３】
読み書き制御部１０２は、読み出し指令が与えられた場合にリーダライタ１３を通じてマネーカードに記録されたデータの読み取りを行う一方、書き込み指令が与えられた場合にリーダライタ１３を通じてデータの書き込みを行うものである。
【００２４】
表示制御部１０３は、表示部４の表示を制御するもので、操作設定部１０１で設定された操作を選択メニューとして表示部４に表示させたり、読み書き制御部１０２の読み取り結果に応じて後述する入金表示やエラー表示を表示部４に表示させたりするものである。また、読み書き制御部１０２に対して読み出し指令を送信するものである。
【００２５】
チャージ処理部１０４は、入金処理部１２から入金情報が与えられ、かつ読み書き制御部１０２を通じてマネーカード載置台９にマネーカードが載置されたことを確認した場合、上述したサーバ装置２００，３００，４００との間において適宜処理を実施し、電子マネーサーバ２００からのチャージ許可に従って入金額に応じた電子マネー情報をマネーカードに積み増しすべく、読み書き制御部１０２に対して書き込み指令を送信するものである。
【００２６】
具体的には、マネーカード載置台９にマネーカードが載置された状態で入金処理部１２から現金入金情報が与えられた場合、チャージ処理部１０４は、電子マネーサーバ２００に対してチャージ要求を送信し、電子マネーサーバ２００からのチャージ許可を待つ。この間、電子マネーチャージ機からチャージ要求を受信した電子マネーサーバ２００では、チャージ要求に含まれるマネーカードの識別情報に基づいてマネーカードが正規のものであるか否かが判断され、正規のものであると判断した場合、チャージ要求の送信元である電子マネーチャージ機に対してチャージ許可を送信することになる。
【００２７】
これに対してマネーカード載置台９にマネーカードが載置された状態で入金処理部１２からカード入金情報が与えられた場合、チャージ処理部１０４は、決済カードの発行元であるサーバ装置３００，４００に対して決済要求を送信し、電子マネーサーバ２００からのチャージ許可を待つ。この間、電子マネーチャージ機から決済要求を受信したサーバ装置３００，４００では、入金処理部１２との間において認証処理が実施される。認証によって正規の決済カードによる決済要求であると判断した場合には、サーバ装置３００，４００から電子マネーサーバ２００に対してチャージ要求が送信される。サーバ装置３００，４００からチャージ要求を受信した電子マネーサーバ２００では、先と同様、チャージ要求に含まれるマネーカードの識別情報に基づいてマネーカードが正規のものであるか否かが判断され、正規のものであると判断した場合、決済要求の送信元である電子マネーチャージ機に対してチャージ許可を送信することになる。
【００２８】
履歴管理部１０５は、読み書き制御部１０２の実施したマネーカードに対する読み書き処理の履歴、及び入金処理部１２を通じて取得した入金の履歴を含む履歴データをメモリ１１０に順次格納するものである。
【００２９】
図４は、上述した電子マネーチャージ機の主制御部１００において所定のサイクルタイム毎に繰り返し実施される処理の内容を示したフローチャートである。以下、この図を参照しながら電子マネーチャージ機の動作について説明する。
【００３０】
上述した電子マネーチャージ機では、図示せぬ電源が投入されると、まず、主制御部１００の操作設定部１０１によって利用者のための操作群が設定され、この操作群に含まれる操作が表示制御部１０３を通じて操作メニューとして表示部４に表示される（ステップＳ１）。この結果、電子マネーチャージ機の利用者は、表示部４に表示された操作メニューから自身の所望とする操作を選択し、入力部５を通じてこれを指示することができるようになる。
【００３１】
操作メニューを表示した主制御部１００は、利用者からの操作入力の有無を監視し、チャージ処理が選択された場合（ステップＳ２：Ｙｅｓ）、チャージ処理を実施する（ステップＳ３）。
【００３２】
図５は、図４に示すチャージ処理の処理内容を示すフローチャートである。このチャージ処理において主制御部１００の表示制御部１０３は、予め設定された時間が経過するまでの間、読み書き制御部１０２を通じてリーダライタ１３によりマネーカード載置台９にマネーカードが載置されているか否かを判断する（ステップＳ３０１，ステップＳ３０２）。尚、上記ステップＳ２においてチャージ処理が選択された場合には、表示制御部１０３は、チャージ処理を開始する旨の表示を行うととともにマネーカードをマネーカード載置台９に載置させる操作を促すための表示を行うことが好ましい。予め設定された時間が経過するまでの間に、マネーカード載置台９にマネーカードが載置されない場合、あるいはリーダライタ１３を通じてマネーカードが載置されていることを検出できなかった場合、主制御部１００は、手順をリターンして今回の処理を終了する（ステップＳ３０１：Ｎｏ→ステップＳ３０２：Ｙｅｓ）。
【００３３】
マネーカード載置台９にマネーカードが載置されたことを検出すると（ステップＳ３０１：Ｙｅｓ）、主制御部１００の表示制御部１０３は、読み書き制御部１０２を通じてリーダライタ１３によりマネーカードに対して記録情報の読み取りを実施し（ステップＳ３０３）、読み書きが可能なマネーカードか否かを判断する（ステップＳ３０４）。リーダライタ１３によって読み書きを実施できないと判断した場合、すなわちマネーカード載置台９に載置されたマネーカードが正常なものでないと判断した場合（ステップＳ３０４：Ｎｏ）、主制御部１００の表示制御部１０３は、表示部４にマネーカードの取り扱いが不可能であることを示すエラー表示を行い（ステップＳ３０５）、予め設定された時間が経過した場合に手順をリターンして今回の処理を終了する（ステップＳ３０６：Ｙｅｓ）。
【００３４】
一方、リーダライタ１３によって読み書きが可能なものと判断した場合、すなわちマネーカード載置台９に載置されたマネーカードが正常なものであると判断した場合（ステップＳ３０４：Ｙｅｓ）、主制御部１００の表示制御部１０３は、表示部４に入金を促すための画面を表示することにより入金表示を行う（ステップＳ３０７）。ここで、主制御部１００の表示制御部１０３が表示部４に入金表示を行う際には、かかる画面にマネーカードが記憶する残高情報についても併せて表示することが好ましい。
【００３５】
このように表示部４に入金を促す画面を表示した主制御部１００は、予め設定された時間が経過するまでの間に利用者によって入金操作が行われ、これに伴って入金処理部１２から入金情報が与えられると（ステップＳ３０８：Ｙｅｓ）、後述するステップＳ３１２の処理に移行する。
【００３６】
入金情報が与えられずに予め設定された時間が経過した場合（ステップＳ３０８：Ｎｏ→ステップＳ３０９：Ｙｅｓ）、主制御部１００は、後述する処理を実施することなく手順をリターンして今回の処理を終了する。
【００３７】
ところで、ステップＳ３０７の入金表示又はステップＳ３０５のエラー表示を行った主制御部１００の表示制御部１０３は、上記予め設定された時間が経過するまでの間にマネーカード載置台９にステップＳ３０１で載置されたマネーカードとは別個のマネーカード（以下、単に他のマネーカードとも称する）が載置された場合には、次のような処理を実施する。
【００３８】
まずステップＳ３０７で入金表示を行った場合について説明する。入金表示を行った主制御部１００の表示制御部１０３は、入金処理部１２から入金情報が与えられる前であって、かつ予め設定された時間が経過する前に（ステップＳ３０８：Ｎｏ→ステップＳ３０９：Ｎｏ）、読み書き制御部１０２を通じてマネーカード載置台９に他のマネーカードが載置されたことを検出すると（ステップＳ３１０：Ｙｅｓ）、ステップＳ３０３に移行して、読み書き制御部１０２を通じてリーダライタ１３により他のマネーカードに対して記録情報の読み取りを実施し、該他のマネーカードが読み書きが可能なものであるか否かを判断する（ステップＳ３０４）。その結果、主制御部１００の表示制御部１０３は、他のマネーカードが正常なものであれば入金表示を行う一方、他のマネーカードが正常なものでなければエラー表示を行い、上述した処理を繰り返すことになる。
【００３９】
次にステップＳ３０５でエラー表示を行った場合について説明する。エラー表示を行った主制御部１００の表示制御部１０３は、予め設定された時間が経過する前に（ステップＳ３０６：Ｎｏ）、読み書き制御部１０２を通じてマネーカード載置台９に他のマネーカードが載置されたことを検出すると（ステップＳ３１１：Ｙｅｓ）、ステップＳ３０３に移行して、読み書き制御部１０２を通じてリーダライタ１３により他のマネーカードに対して記録情報の読み取りを実施し、該他のマネーカードが読み書きが可能なものであるか否かを判断する（ステップＳ３０４）。その結果、主制御部１００の表示制御部１０３は、他のマネーカードが正常なものであれば入金表示を行う一方、他のマネーカードが正常なものでなければエラー表示を行い、上述した処理を繰り返すことになる。
【００４０】
このように主制御部１００の表示制御部１０３は、マネーカード載置台９にマネーカードが載置されて、かかるマネーカードの種類に応じて入金表示又はエラー表示を行っても、予め設定された時間内にマネーカード載置台９に他のマネーカードが載置されたら、かかる他のマネーカードの種類に応じて入金表示又はエラー表示を行うようにしている。
【００４１】
上記ステップＳ３０８において入金処理部１２から入金情報が与えられると（ステップＳ３０８：Ｙｅｓ）、主制御部１００は、チャージ処理部１０４を通じて入金情報を適宜処理することにより、サーバ装置２００，３００，４００に対してチャージ（決済）要求を送信し（ステップＳ３１２）、その後、サーバ装置２００，３００，４００からの応答受信待ちとなる（ステップＳ３１３）。
【００４２】
サーバ装置２００，３００，４００から受信した応答がチャージ許可であった場合（ステップＳ３１３：Ｙｅｓ→ステップＳ３１４：Ｙｅｓ）、主制御部１００は、チャージ処理部１０４を通じて読み書き制御部１０２に書き込み指令を送信し、入金額分を積み増した電子マネー情報をマネーカードに書き込む処理を実施する（ステップＳ３１５）。尚、サーバ装置２００，３００，４００からの応答がチャージ許可でない場合（ステップＳ３１３：Ｙｅｓ→ステップＳ３１４：Ｎｏ）、主制御部１００は、手順をリターンして今回の処理を終了する。
【００４３】
上述した一連の処理が終了すると、主制御部１００は、履歴管理部１０５を通じて履歴データの更新処理を実施する（ステップＳ３１６）。具体的には、ステップＳ３１６において主制御部１００は、上述したように読み書き制御部１０２の実施したマネーカードに対する読み書き処理の履歴、及び入金処理部１２を通じて取得した入金の履歴をメモリ１１０の履歴データに順次追加する処理を実施する。履歴管理部１０５を通じた履歴データの更新処理を終了した主制御部１００は、手順をリターンする。
【００４４】
以上説明したように、上記電子マネーチャージ機によれば、主制御部１００の表示制御部１０３は、マネーカード載置台９にマネーカードが載置されて、かかるマネーカードの種類に応じて入金表示又はエラー表示を行っても、予め設定された時間内にマネーカード載置台９に他のマネーカードが載置されたら、かかる他のマネーカードの種類に応じて入金表示又はエラー表示を行うので、利用者は、マネーカードがマネーカード載置台９に載置されることを許容する状態、すなわち表示部４に操作メニューが表示される状態に戻るまで待つ必要がない。従って、利用者の利便性の向上を図ることができる。
【００４５】
尚、上述した実施の形態では、非接触通信によってデータの読み書き処理を行うものを例示しているが、必ずしも非接触通信によってデータの読み書き処理を行うものである必要はない。
【産業上の利用可能性】
【００４６】
以上のように、本発明に係る入金処理装置は、所定の通信可能領域に保持されたマネーカードに対して、投入された金銭に対応する入金情報を付与するのに有用である。
【図面の簡単な説明】
【００４７】
【図１】本発明の実施の形態である電子マネーチャージ機（入金処理装置）を簡略して示す斜視図である。
【図２】図１に示した電子マネーチャージ機において前扉を開放移動させた状態を示す斜視図である。
【図３】図１に示した電子マネーチャージ機の制御系を示すブロック図である。
【図４】図３に示した主制御部が実施する処理内容を示すフローチャートである。
【図５】図４に示したチャージ処理の処理内容を示すフローチャートである。
【符号の説明】
【００４８】
４      表示部
１３      リーダライタ
１００      主制御部
１０２      読み書き制御部
１０３      表示制御部
１０４      チャージ処理部
【図１】
0005012575.tif 000002
【図２】
0005012575.tif 000003
【図３】
0005012575.tif 000004
【図４】
0005012575.tif 000005
【図５】
0005012575.tif 000006